(57)【要約】【課題】搭載されるレンズの径が大型化する場合であっても、小型化することが可能なレンズ駆動装置を提供すること。【解決手段】レンズ駆動装置１は、撮影用のレンズが固定される略円筒状のレンズホルダ７を内周側に保持しレンズの光軸方向に移動可能な可動体と、板バネ４、５を介して可動体を光軸方向に移動可能に保持する固定体とを備えている。板バネ４には、可動体に固定される可動体固定部４ｂが形成され、可動体固定部４ｂには、レンズホルダ７の径方向の外側からレンズホルダ７に係合するｎ個（ｎは２以上の整数）の係合突起４ｅが径方向の内側に突出するように形成されている。レンズホルダ７の外周面には、係合突起４ｅが係合するｎ条の多条ネジからなる多条ネジ部７ａが形成されている。【選択図】図２
2010128227.tif 000002
【特許請求の範囲】
【請求項１】
撮影用のレンズが固定される略円筒状のレンズホルダを内周側に保持し前記レンズの光軸方向に移動可能な可動体と、板バネを介して前記可動体を前記光軸方向に移動可能に保持する固定体とを備え、
前記板バネには、前記可動体に固定される可動体固定部が形成され、
前記可動体固定部には、前記レンズホルダの径方向の外側から前記レンズホルダに係合するｎ個（ｎは２以上の整数）の係合突起が径方向の内側に突出するように形成され、
前記レンズホルダの外周面には、前記係合突起が係合するｎ条以上の多条ネジからなる多条ネジ部が形成されていることを特徴とするレンズ駆動装置。
【請求項２】
前記多条ネジ部は、ｎ条の多条ネジによって構成されていることを特徴とする請求項１記載のレンズ駆動装置。
【請求項３】
前記可動体固定部には、３個の前記係合突起が形成され、
前記多条ネジ部は、３条ネジによって構成されていることを特徴とする請求項２記載のレンズ駆動装置。
【請求項４】
前記可動体を前記光軸方向へ駆動する駆動用磁石および駆動用コイルを備えるとともに、
前記レンズとして、被写体側に配置される小径レンズと、反被写体側に配置され前記小径レンズよりも径の大きな大径レンズとを備え、
前記駆動用磁石および前記駆動用コイルは、前記被写体側に配置されていることを特徴とする請求項１から３いずれかに記載のレンズ駆動装置。
【請求項５】
前記板バネとして、前記レンズ駆動装置の被写体側に配置される第１の板バネと、前記光軸方向における前記レンズ駆動装置の中間位置に配置される第２の板バネとを備え、
前記係合突起は、前記第１の板バネに形成されていることを特徴とする請求項１から４いずれかに記載のレンズ駆動装置。
【請求項６】
前記レンズホルダの外周面と前記可動体の内周面とは、接着されていることを特徴とする請求項１から５いずれかに記載のレンズ駆動装置。
【請求項７】
前記係合突起の先端部は、曲面状に形成されていることを特徴とする請求項１から６いずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
携帯電話等に搭載されるカメラの撮影用レンズを駆動するレンズ駆動装置として、複数のレンズを内周側に備えるレンズバレルを保持する移動レンズ体と、移動レンズ体を光軸方向へ移動させるレンズ駆動機構と、レンズ駆動機構等が搭載された支持体とを備えるレンズ駆動装置が本出願人によって提案されている（たとえば、特許文献１参照）。
【０００３】
この特許文献１に記載のレンズ駆動装置では、移動レンズ体は、円筒状のスリーブを備えており、その内周側に円筒状のレンズバレルが固定されている。また、このレンズ駆動装置では、スリーブの内周面にメネジが形成されるとともに、このメネジに係合するオネジがレンズバレルの外周面に形成されており、光軸を中心にしてレンズバレルを回動させることで、光軸方向におけるスリーブとレンズバレルとの位置調整を行うことが可能になっている。なお、スリーブの外周面には、レンズ駆動機構を構成するコイルが巻回されている。
【０００４】
【特許文献１】特開２００８−１１２２００号公報
【発明の開示】
【発明が解決しようとする課題】
【０００５】
近年、携帯電話等に使用されるカメラの市場では、カメラの小型化の要求が一段と高まっており、そのため、カメラに搭載されるレンズ駆動装置の小型化の要求も一段と高まっている。一方で、近年、携帯電話等に使用されるカメラの市場では、高画素化、高解像度化の要求が高まっており、レンズ駆動装置に搭載されるレンズの径が大型化する傾向にあるため、レンズ駆動装置を小型化することが困難な状況が生じつつある。
【０００６】
そこで、本発明の課題は、搭載されるレンズの径が大型化する場合であっても、小型化することが可能なレンズ駆動装置を提供することにある。
【課題を解決するための手段】
【０００７】
上記の課題を解決するため、本発明のレンズ駆動装置は、撮影用のレンズが固定される略円筒状のレンズホルダを内周側に保持しレンズの光軸方向に移動可能な可動体と、板バネを介して可動体を光軸方向に移動可能に保持する固定体とを備え、板バネには、可動体に固定される可動体固定部が形成され、可動体固定部には、レンズホルダの径方向の外側からレンズホルダに係合するｎ個（ｎは２以上の整数）の係合突起が径方向の内側に突出するように形成され、レンズホルダの外周面には、係合突起が係合するｎ条以上の多条ネジからなる多条ネジ部が形成されていることを特徴とする。
【０００８】
本発明のレンズ駆動装置では、可動体に固定される板バネの可動体固定部にｎ個の係合突起が形成され、レンズホルダに形成される多条ネジ部にこの係合突起が係合している。そのため、光軸を中心にしてレンズホルダを回動させることで、光軸方向における可動体とレンズホルダとの位置調整を行うことができる。したがって、本発明では、レンズホルダの多条ネジ部に係合するメネジを可動体の内周側に形成する必要がなくなり、径方向において可動体を小型化することが可能になる。その結果、本発明では、搭載されるレンズの径が大型化する場合であっても、レンズ駆動装置を小型化することが可能になる。
【０００９】
また、本発明では、レンズホルダの外周面に、ｎ条以上の多条ネジからなる多条ネジ部が形成されているため、簡易な構成で、レンズの光軸が傾かないようにレンズホルダを可動体に取り付けることが可能になる。たとえば、レンズホルダの外周面に１条ネジが形成されている場合、レンズの光軸が傾かないようにレンズホルダを可動体に取り付けるためには、１条ネジのネジ山のピッチ分だけｎ個の係合突起を光軸方向に徐々にずらしながら形成しなければならず、板バネの構成が複雑になるが、本発明では、板バネの構成を簡素化することができる。
【００１０】
本発明において、多条ネジ部は、ｎ条の多条ネジによって構成されていることが好ましい。また、本発明において、たとえば、可動体固定部には、３個の係合突起が形成され、多条ネジ部は、３条ネジによって構成されている。このように構成すると、３個の係合突起によって、レンズホルダの姿勢を安定させることが可能になる。
【００１１】
本発明において、レンズ駆動装置は、可動体を光軸方向へ駆動する駆動用磁石および駆動用コイルを備えるとともに、たとえば、レンズとして、被写体側に配置される小径レンズと、反被写体側に配置され小径レンズよりも径の大きな大径レンズとを備え、駆動用磁石および駆動用コイルは、被写体側に配置されている。
【００１２】
本発明において、レンズ駆動装置は、板バネとして、レンズ駆動装置の被写体側に配置される第１の板バネと、光軸方向におけるレンズ駆動装置の中間位置に配置される第２の板バネとを備え、係合突起は、第１の板バネに形成されていることが好ましい。このように構成すると、係合突起と多条ネジ部との係合部分を被写体側から目視で確認しながら、光軸方向における可動体とレンズホルダとの位置調整を行うことができる。したがって、光軸方向における可動体とレンズホルダとの位置調整が容易になる。
【００１３】
本発明において、レンズホルダの外周面と可動体の内周面とは、接着されていることが好ましい。このように構成すると、多条ネジ部を利用して、レンズホルダの外周面と可動体の内周面との間でより多くの接着剤を保持することが可能になるため、可動体に対するレンズホルダの固定強度を高めることが可能になる。
【００１４】
本発明において、係合突起の先端部は、曲面状に形成されていることが好ましい。このように構成すると、多条ネジ部と係合突起とを円滑に係合させることが可能になる。
【発明の効果】
【００１５】
以上のように、本発明では、搭載されるレンズの径が大型化する場合であっても、レンズ駆動装置を小型化することが可能になる。
【発明を実施するための最良の形態】
【００１６】
以下、本発明の実施の形態を図面に基づいて説明する。
【００１７】
（レンズ駆動装置の構成）
図１は、本発明の実施の形態にかかるレンズ駆動装置１の斜視図である。図２は、図１に示すレンズ駆動装置１の分解斜視図である。図３は、図１に示すレンズ駆動装置１の平面図である。図４は、図３のＥ−Ｅ断面の断面図である。図５は、図２に示す板バネ４の平面図である。図６は、図２に示す板バネ５を固定プレート１４に固定した状態を示す斜視図である。
【００１８】
本形態のレンズ駆動装置１は、携帯電話等で使用される比較的小型のカメラに搭載されるものであり、全体として略直方体状に形成されている。本形態のレンズ駆動装置１が搭載されるカメラでは、図４の下側（すなわち、Ｚ２方向側）に図示を省略する撮像素子が配置されており、図４の上側（すなわち、Ｚ１方向側）に配置される被写体が撮影される。したがって、以下の説明では、Ｚ１方向側を被写体側、Ｚ２方向側を反被写体側（撮像素子側）とする。
【００１９】
レンズ駆動装置１は、図２、図４に示すように、撮影用のレンズを保持しレンズの光軸Ｌの方向（光軸方向）に移動可能な可動体２と、可動体２を光軸方向に移動可能に保持する固定体３と、可動体２と固定体３とを繋ぐ２種類の板バネ４、５とを備えている。本形態のレンズ駆動装置１は、１個の板バネ４と、４個の板バネ５とを備えている。なお、以下では、板バネ４と板バネ５とを区別して表す場合には、板バネ４を「第１の板バネ４」、板バネ５を「第２の板バネ５」と表記する。
【００２０】
可動体２は、複数のレンズが固定されたレンズホルダ７をその内周側で保持している。この可動体２は、可動体２を光軸方向へ移動させるための４個の駆動用磁石８と、磁性材料で形成され駆動用磁石８が固定される可動ヨーク９とを備えている。また、固定体３は、光軸Ｌに直交する方向で駆動用磁石８に対向配置される駆動用コイル１１と、被写体側で駆動用コイル１１を保持するコイルホルダ１２と、磁性材料で形成され可動ヨーク９の外周側を覆うように配置される固定ヨーク１３と、第２の板バネ５の一部を固定するための固定プレート１４とを備えている。
【００２１】
レンズホルダ７は、略円筒状に形成されており、その内周側に複数のレンズが固定されている。本形態では、レンズホルダ７の被写体側に径の小さな小径レンズが配置され、反被写体側に小径レンズよりも径の大きな大径レンズが配置されている。そのため、図２に示すように、レンズホルダ７は、反被写体側の外径が被写体側の外径よりも大きい段付の円筒状に形成されている。
【００２２】
レンズホルダ７の被写体側部分の外周面には、第１の板バネ４に形成される後述の係合突起４ｅに係合する多条ネジからなる多条ネジ部７ａが形成されている。本形態では、後述のように、第１の板バネ４には、３個の係合突起４ｅが形成されており、多条ネジ部７ａは３条ネジによって構成されている。
【００２３】
駆動用磁石８は、図２に示すように、光軸方向から見たときの形状が、斜辺が曲線状に形成された略二等辺三角形状となる略三角柱状に形成されている。すなわち、駆動用磁石８は、図２に示すように、互いに直交する矩形状の２個の平面部８ａと、互いに平行な略二等辺三角形状の平面部８ｂと、レンズの径方向外側に向かって膨らむ曲面部８ｃとからなる略三角柱状に形成されている。本形態では、４個の駆動用磁石８の曲面部８ｃに形成される磁極が同じになるように、駆動用磁石８が着磁されている。駆動用コイル１１は、図２に示すように、円筒状に巻回された空芯コイルである。本形態の駆動用コイル１１は、１本の導線が一方向に巻回されて形成されている。
【００２４】
可動ヨーク９は、全体として、略四角筒状に形成されている。すなわち、可動ヨーク９は、光軸方向から見たときの外形が略四角形状になるように形成されている。この可動ヨーク９は、駆動用磁石８を固定するための８個の磁石固定部９ａと、光軸Ｌを中心とする円筒状に形成された円筒部９ｂと、第１の板バネ４を固定するためのバネ固定部９ｃとを備えている。なお、本形態の可動ヨーク９は、金属材料で形成されている。
【００２５】
磁石固定部９ａは、可動ヨーク９の四隅に配置され、円筒部９ｂは、磁石固定部９ａよりも径方向内側に配置されている。また、バネ固定部９ｃは、平面状に形成されるとともに被写体側に配置されており、磁石固定部９ａと円筒部９ｂとは、バネ固定部９ｃを介して繋がっている。
【００２６】
磁石固定部９ａは、略矩形の平面状に形成されるとともに、バネ固定部９ｃの外周辺から反被写体側に向かって形成されている。また、磁石固定部９ａは、可動ヨーク９の四隅のそれぞれに２個ずつ形成されている。すなわち、バネ固定部９ｃの外周辺のそれぞれに繋がるように形成される２個の磁石固定部９ａは、所定の間隔をあけた状態で形成されている。本形態の磁石固定部９ａは、プレスによる曲げ加工で形成されており、可動ヨーク９の四隅に配置される２個の磁石固定部９ａの間には、わずかな隙間が形成されている。また、磁石固定部９ａの反被写体側端には、反被写体側へわずかに突出する凸部９ｄが形成されている。なお、磁石固定部９ａは、プレスによる絞り加工等で形成されても良い。磁石固定部９ａが絞り加工で形成される場合には、可動ヨーク９の四隅に配置される２個の磁石固定部９ａの間の隙間がなくなり、２個の磁石固定部９ａが繋がる。
【００２７】
４個の駆動用磁石８は、その曲面部８ｃによって光軸Ｌを囲むように磁石固定部９ａに固定されている。すなわち、駆動用磁石８の平面部８ａが磁石固定部９ａの内側面に固定されている。本形態では、図４に示すように、被写体側に配置される駆動用磁石８の平面部８ｂとバネ固定部９ｃの反被写体側の面との間に所定の隙間が形成されるように、４個の駆動用磁石８が磁石固定部９ａに固定されている。また、４個の駆動用磁石８は、駆動用磁石８の曲面部８ｃと駆動用コイル１１の外周面とが対向するように配置されている。なお、本形態では、磁石固定部９ａの外側面９ｅが、光軸Ｌに直交する方向における可動ヨーク９の外側面となっている。
【００２８】
円筒部９ｂは、図４に示すように、駆動用コイル１１よりも径方向の内側に配置されており、駆動用コイル１１の内周面に対向している。この円筒部９ｂの内周側には、レンズホルダ７が接着されて固定されている。すなわち、円筒部９ｂの内周面にレンズホルダ７の外周面が接着されている。
【００２９】
コイルホルダ１２は、樹脂で形成され、可動ヨーク９および固定ヨーク１３の下方に配置されている。また、コイルホルダ１２は、扁平な略四角筒状に形成されている。コイルホルダ１２の径方向の中心には、レンズホルダ７が配置される丸い配置孔１２ａが光軸方向に貫通するように形成されている。また、被写体側における配置孔１２ａの縁には、駆動用コイル１１が固定される円筒状のコイル固定部１２ｂが被写体側に突出するように形成されている。
【００３０】
コイルホルダ１２の内周側には、被写体側に形成されたコイル固定部１２ｂに固定される駆動用コイル１１の端部を反被写体側へ引き出すための２本の引出溝１２ｃが形成されている。引出溝１２ｃは、コイルホルダ１２の内周面から径方向外側に向かって窪むように、かつ、コイル固定部１２ｂの被写体側端から反被写体側に向かって直線状に形成されている。
【００３１】
また、コイルホルダ１２の反被写体側には、２本の引出溝１２ｃに対応するように２個の凹部１２ｄが形成されており、引出溝１２ｃの反被写体側端は、凹部１２ｄに繋がっている。凹部１２ｄは、コイルホルダ１２の内周面から径方向外側に向かって窪むように、かつ、コイルホルダ１２の反被写体側の端面から被写体側に向かって窪むように形成されている。
【００３２】
凹部１２ｄの被写体側の面には、駆動用コイル１１の端部側が巻回される巻回ピン１５が取り付けられている。具体的には、凹部１２ｄの被写体側の面から反被写体側に向かって突出するように、圧入または一体成型によって、巻回ピン１５が凹部１２ｄの被写体側の面に固定されている。巻回ピン１５は、金属材料で形成されており、巻回ピン１５には、駆動用コイル１１の端部側が巻回されて半田付けされている。また、巻回ピン１５に巻回された駆動用コイル１１の端部側は、凹部１２ｄの中に配置されている。なお、巻回ピン１５は、図示を省略する配線基板に接続される。
【００３３】
固定ヨーク１３は、略四角筒状に形成されている。すなわち、固定ヨーク１３は、光軸方向から見たときの外形が略四角形状になるように形成されている。固定ヨーク１３の被写体側の四隅には、第１の板バネ４を固定するためのバネ固定部１３ａが形成されている。バネ固定部１３ａの被写体側の面には、被写体側に突出する突起１３ｂが形成されている。なお、本形態の固定ヨーク１３は、金属材料で形成されている。
【００３４】
固定プレート１４は、金属材料で形成されている。また、固定プレート１４は、略四角形の平板状に形成されており、コイルホルダ１２の被写体側の面に取り付けられている。固定プレート１４の中心には、レンズホルダ７が配置される丸い貫通孔が光軸方向に貫通するように形成されている。また、固定プレート１４の四隅の近傍の被写体側の面は、第２の板バネ５を固定するためのバネ固定部１４ａとなっている。具体的には、駆動用磁石８の反被写体側の平面部８ｂに対向する固定プレート１４の被写体側の面がバネ固定部１４ａとなっている。また、固定プレート１４の四隅の近傍には、切欠部１４ｂが２個ずつ形成されている。
【００３５】
第１の板バネ４は、図３、図５等に示すように、固定ヨーク１３のバネ固定部１３ａの被写体側の面に固定される４個の固定体固定部４ａと、可動ヨーク９のバネ固定部９ｃに固定される可動体固定部４ｂと、固定体固定部４ａと可動体固定部４ｂを繋ぐ４本のバネ部４ｃとを備えている。
【００３６】
固定体固定部４ａには、固定ヨーク１３の突起１３ｂが挿通される貫通孔４ｄが形成されており、固定体固定部４ａは、貫通孔４ｄに突起１３ｂが挿通された状態で、バネ固定部１３ａに溶接で固定されている。可動体固定部４ｂは、略円環状に形成されており、可動ヨーク９のバネ固定部９ｃに溶接で固定されている。本形態では、第１の板バネ４は、レーザ溶接によって、可動ヨーク９および固定ヨーク１３に固定されている。
【００３７】
図５に示すように、ある固定体固定部４ａに一端が繋がっているバネ部４ｃの他端は、この固定体固定部４ａに周方向で隣接する他の固定体固定部４ａの径方向における内側で、可動体固定部４ｂと繋がっている。たとえば、図５の右下に配置されている固定体固定部４ａに一端が繋がっているバネ部４ｃの他端は、図５の右上に配置される固定体固定部４ａの径方向における内側で、可動体固定部４ｂと繋がっている。なお、本形態では、図４に示すように、バネ固定部１３ａは、バネ固定部９ｃよりも被写体側に配置されているため、バネ部４ｃは、固定体固定部４ａと可動体固定部４ｂとの間で光軸方向に傾斜している。
【００３８】
可動体固定部４ｂには、レンズホルダ７の多条ネジ部７ａに係合する係合突起４ｅが径方向の内側に突出するように形成されている。本形態では、３個の係合突起４ｅが光軸Ｌを中心として略１２０°ピッチで形成されている。また、３個の係合突起４ｅのうちの１個は、可動体固定部４ｂとバネ部４ｃとの連結部分の径方向の内側に形成されている。たとえば、図５では、右上に配置される可動体固定部４ｂとバネ部４ｃとの連結部分の径方向の内側に、１個の係合突起４ｅが形成されている。
【００３９】
係合突起４ｅの先端部は、曲面状に形成されている。本形態の係合突起４ｅは、光軸方向から見たときの形状が半円形状となるように形成されており、光軸方向から見たときの係合突起４ｅの先端部は、円弧状に形成されている。
【００４０】
第２の板バネ５は、図６等に示すように、固定プレート１４のバネ固定部１４ａに固定される固定体固定部５ａと、可動ヨーク９の凸部９ｄに固定される可動体固定部５ｂと、固定体固定部５ａと可動体固定部５ｂを繋ぐバネ部５ｃとを備えている。本形態では、あるバネ固定部１４ａに固定体固定部５ａが固定される第２の板バネ５の可動体固定部５ｂは、このバネ固定部１４ａに周方向で隣接するバネ固定部１４ａに対応する位置に配置される可動ヨーク９の凸部９ｄに固定されている。たとえば、図６の右側に配置されるバネ固定部１４ａに固定体固定部５ａが固定される第２の板バネ５の可動体固定部５ｂは、図６の上側に配置される可動ヨーク９の凸部９ｄに固定される。
【００４１】
固定体固定部５ａは、固定プレート１４のバネ固定部１４ａに溶接で固定されている。また、可動体固定部５ｂは、可動ヨーク９の凸部９ｄに溶接で固定されている。本形態では、第２の板バネ５は、レーザ溶接によって、可動ヨーク９および固定プレート１４に固定されている。
【００４２】
上述のように、第１の板バネ４は、固定ヨーク１３のバネ固定部１３ａおよび可動ヨーク９のバネ固定部９ｃに固定されている。すなわち、第１の板バネ４は、レンズ駆動装置１の被写体側に配置されている。また、第２の板バネ５は、固定プレート１４のバネ固定部１４ａおよび可動ヨーク９の凸部９ｄに固定されている。すなわち、第２の板バネ５は、光軸方向におけるレンズ駆動装置１の中間位置に配置されている。
【００４３】
また、上述のように、コイルホルダ１２の被写体側に、コイル固定部１２ｂが形成されており、駆動用コイル１１は、図４に示すように、コイル固定部１２ｂの被写体側端に固定されている。また、駆動用磁石８は、その曲面部８ｃと駆動用コイル１１の外周面とが対向するように配置されている。すなわち、本形態では、駆動用磁石８および駆動用コイル１１は、レンズ駆動装置１の被写体側に配置されている。
【００４４】
なお、本形態では、板バネ４、５を介して可動体２が固定体３に支持されている状態では、８個の磁石固定部９ａの外側面９ｅと、固定ヨーク１３の内側面１３ｃとは、略一定の隙間を介して略平行に配置されている。
【００４５】
（レンズ駆動装置の製造方法）
図７は、図２に示す駆動用磁石８への板バネ５の固定工程を説明するための斜視図である。
【００４６】
以上のように構成されたレンズ駆動装置１は、たとえば、以下のように製造される。まず、可動ヨーク９の磁石固定部９ａに駆動用磁石８を固定する。また、コイルホルダ１２のコイル固定部１２ｂの被写体側端に駆動用コイル１１を固定する。
【００４７】
また、固定ヨーク１３のバネ固定部１３ａに第１の板バネ４の固定体固定部４ａをレーザ溶接で固定する。また、図６に示すように、固定プレート１４のバネ固定部１４ａに４個の第２の板バネ５の固定体固定部５ａをレーザ溶接で固定する。
【００４８】
その後、可動ヨーク９の凸部９ｄに第２の板バネ５の可動体固定部５ｂをレーザ溶接で固定する。具体的には、図７に示すように、光軸方向において、第２の板バネ５が固定された固定プレート１４と、駆動用磁石８が固定された可動ヨーク９とを重ねて、可動ヨーク９の凸部９ｄに第２の板バネ５の可動体固定部５ｂをレーザ溶接で固定する。その後、第２の板バネ５を介して可動ヨーク９と連結されている固定プレート１４をコイルホルダ１２の被写体側の面に固定する。なお、上述のように、固定プレート１４の四隅の近傍には、切欠部１４ｂが形成されているため、第２の板バネ５が固定された固定プレート１４と可動ヨーク９とを光軸方向で重ねた状態であっても、可動体固定部５ｂと凸部９ｄとの当接部分にレーザを照射して、可動体固定部５ｂを凸部９ｄにレーザ溶接することができる。
【００４９】
その後、８個の磁石固定部９ａの外側面９ｅと、固定ヨーク１３の内側面１３ｃとの間に、略一定の隙間が形成されるように、外側面９ｅと内側面１３ｃとの間の隙間を調整する。その後、固定ヨーク１３をコイルホルダ１２に固定するとともに、可動ヨーク９のバネ固定部９ｃに第１の板バネ４の可動体固定部４ｂをレーザ溶接で固定する。本形態では、光軸方向から（具体的には、被写体側から）、バネ固定部９ｃと可動体固定部４ｂとの接触部分にレーザを照射して、バネ固定部９ｃと可動体固定部４ｂとを固定する。
【００５０】
その後、固定ヨーク１３と固定プレート１４とを固定する。また、レンズホルダ７の被写体側の外周面および／または可動ヨーク９の円筒部９ｂの内周面に接着剤を塗布して、反被写体側からレンズホルダ７をコイルホルダ１２および円筒部９ｂの内周側に挿入するとともに、レンズホルダ７の多条ネジ部７ａと第１の板バネ４の係合突起４ｅとを係合させ、光軸Ｌを中心にしてレンズホルダ７を回転させながら、光軸方向におけるレンズホルダ７と可動ヨーク９との位置調整を行う。レンズホルダ７と可動ヨーク９との位置調整が終了し、円筒部９ｂの内周面等に塗布された接着剤が硬化すると、レンズ駆動装置１が完成する。
【００５１】
（本形態の主な効果）
以上説明したように、本形態では、可動ヨーク９に固定される第１の板バネ４の可動体固定部４ｂに３個の係合突起４ｅが形成され、レンズホルダ７の多条ネジ部７ａに係合突起４ｅが係合している。そのため、上述のように、光軸Ｌを中心にレンズホルダ７を回動させることで、光軸方向におけるレンズホルダ７と可動ヨーク９との位置調整を行うことができる。したがって、本形態では、光軸方向におけるレンズホルダ７と可動ヨーク９との位置調整を行うためのメネジを可動ヨーク９の円筒部９ｂの内周面に形成する必要がない。その結果、円筒部９ｂの厚さを薄くすることができ、径方向において可動ヨーク９を小型化することができる。したがって、本形態では、搭載されるレンズの径が大型化する場合であっても、レンズ駆動装置１を小型化することができる。
【００５２】
なお、金属材料で形成される可動ヨーク９の円筒部９ｂの内周面にメネジを形成する場合には、タップ加工や転造加工等の２次加工が必要となり、可動ヨーク９の製造コストが嵩むが、本形態では、円筒部９ｂの内周面にメネジを形成する必要がないため、可動ヨーク９の製造コストを低減することができる。また、タップ加工や転造加工等で円筒部９ｂの内周面にメネジを形成する場合には、メネジの精度を確保することが難しくなるが、本形態では、かかる問題も生じない。
【００５３】
本形態では、可動体固定部４ｂに３個の係合突起４ｅが形成され、レンズホルダ７に３条ネジからなる多条ネジ部７ａが形成されている。そのため、比較的簡易な構成で、レンズの光軸Ｌが傾かないようにレンズホルダ７を可動ヨーク９に取り付けることができる。また、比較的簡易な構成で、可動ヨーク９に対するレンズホルダ７の光軸方向の位置を微調整することができる。また、３個の係合突起４ｅによって、レンズホルダ７の姿勢を安定させることができる。
【００５４】
本形態では、レンズ駆動装置１の被写体側に配置される第１の板バネ４に係合突起４ｅが形成されている。そのため、係合突起４ｅと多条ネジ部７ａとの係合部分を被写体側から目視で確認しながら、光軸方向におけるレンズホルダ７と可動ヨーク９との位置調整を行うことができる。したがって、光軸方向におけるレンズホルダ７と可動ヨーク９との位置調整が容易になる。
【００５５】
本形態では、多条ネジ部７ａが形成されるレンズホルダ７の外周面が円筒部９ｂの内周面に接着されている。そのため、多条ネジ部７ａを利用して、レンズホルダ７の外周面と円筒部９ｂの内周面との間でより多くの接着剤を保持することができ、可動ヨーク９に対するレンズホルダ７の固定強度を高めることができる。また、本形態では、係合突起４ｅの先端部が曲面状に形成されているため、係合突起４ｅと多条ネジ部７ａとを円滑に係合させることができる。
【００５６】
（他の実施の形態）
上述した形態は、本発明の好適な形態の一例ではあるが、これに限定されるものではなく本発明の要旨を変更しない範囲において種々変形実施が可能である。
【００５７】
上述した形態では、係合突起４ｅは、光軸方向から見たときの形状が半円形状となるように形成されており、図５に示すように、可動体固定部４ｂの内周面と係合突起４ｅとは、不連続に繋がっている。この他にもたとえば、図８に示すように、可動体固定部４ｂの内周面と係合突起４ｅとの境界部分に曲面部４ｆが形成されて、可動体固定部４ｂの内周面と係合突起４ｅとが滑らかに繋がっていても良い。この場合には、図８（Ａ）に示すように、周方向における係合突起４ｅの両側に曲率の同じ曲面部４ｆが形成されても良いし、図８（Ｂ）に示すように、周方向における係合突起４ｅの両側に曲率の異なる曲面部４ｆが形成されても良い。
【００５８】
上述した形態では、可動体固定部４ｂに３個の係合突起４ｅが形成され、多条ネジ部７ａは３条ネジで構成されている。この他にもたとえば、可動体固定部４ｂに４個の係合突起４ｅが形成され、多条ネジ部７ａが４条ネジで構成されても良いし、可動体固定部４ｂに５個の係合突起４ｅが形成され、多条ネジ部７ａが５条ネジで構成されても良い。また、可動体固定部４ｂに２個の係合突起４ｅが形成され、多条ネジ部７ａが２条ネジで構成されても良い。すなわち、可動体固定部４ｂにｎ個（ｎは２以上の整数）の係合突起４ｅが形成され、多条ネジ部７ａがｎ条の多条ネジで構成されても良い。
【００５９】
また、可動体固定部４ｂにｎ個（ｎは２以上の整数）の係合突起４ｅが形成され、多条ネジ部７ａがｎ条以上の多条ネジで構成されても良い。すなわち、可動体固定部４ｂに形成されるｎ個の係合突起４ｅが光軸Ｌを中心として等角度ピッチで形成されていない場合には、多条ネジ部７ａがｎ条以上の多条ネジで構成されても良い。たとえば、可動体固定部４ｂに光軸Ｌを中心として略１８０°ピッチで２個の係合突起４ｅが形成されるとともに、この２個の係合突起４ｅから光軸Ｌを中心として略９０°ずれた位置に１個の係合突起４ｅが形成される場合（すなわち、光軸Ｌを中心として略９０°ピッチで形成された４個の係合突起４ｅのうちの１個をなくした３個の係合突起４ｅが可動体固定部４ｂに形成される場合）には、多条ネジ部７ａが３条ネジでなく、４条ネジで構成されても良い。
【００６０】
上述した形態では、第１の板バネ４に係合突起４ｅが形成されている。この他にもたとえば、第１の板バネ４に形成される係合突起４ｅに加え、あるいは、第１の板バネ４に形成される係合突起４ｅに代えて、第２の板バネ５に、レンズホルダ７の多条ネジ部７ａに係合する係合突起が形成されても良い。
【００６１】
上述した形態では、移動体２側に駆動用磁石８が配置され、固定体３側に駆動用コイル１１が配置されている。この他にもたとえば、移動体２側に駆動用コイル１１が配置され、固定体３側に駆動用磁石８が配置されても良い。
【００６２】
上述した形態では、第１の板バネ４の固定体固定部４ａは、固定ヨーク１３のバネ固定部１３ａの被写体側の面に固定されているが、固定体固定部４ａは、バネ固定部１３ａの反被写体側の面に固定されても良い。また、上述した形態では、レンズホルダ７の被写体側に径の小さな小径レンズが配置され、反被写体側に小径レンズよりも径の大きな大径レンズが配置されているが、レンズホルダ７の被写体側と反被写体側とに、径の大きさが同じレンズが配置されても良い。
【図面の簡単な説明】
【００６３】
【図１】本発明の実施の形態にかかるレンズ駆動装置の斜視図である。
【図２】図１に示すレンズ駆動装置の分解斜視図である。
【図３】図１に示すレンズ駆動装置の平面図である。
【図４】図３のＥ−Ｅ断面の断面図である。
【図５】図２に示す板バネの平面図である。
【図６】図２に示す板バネを固定プレートに固定した状態を示す斜視図である。
【図７】図２に示す駆動用磁石への板バネの固定工程を説明するための斜視図である。
【図８】本発明の他の実施の形態にかかる板バネの平面図である。
【符号の説明】
【００６４】
１  レンズ駆動装置
２  可動体
３  固定体
４  第１の板バネ（板バネ）
４ｂ  可動体固定部
４ｅ  係合突起
５  第２の板バネ（板バネ）
７  レンズホルダ
７ａ  多条ネジ部
８  駆動用磁石
１１  駆動用コイル
Ｌ  光軸
Ｚ１  被写体側
Ｚ２  反被写体側
【図１】
2010128227.tif 000003
【図２】
2010128227.tif 000004
【図３】
2010128227.tif 000005
【図４】
2010128227.tif 000006
【図５】
2010128227.tif 000007
【図６】
2010128227.tif 000008
【図７】
2010128227.tif 000009
【図８】
2010128227.tif 000010